(57)【要約】【課題】被介助者を搬送車で搬送しシャワー浴槽でシャワー浴させる場合において、介助作業を容易に行うことができるようにする。【解決手段】被介助者を乗せる乗部７を載置して搬送する搬送車１と、前面と両側面とに開口部を有し、かつ、複数の噴射ノズル１３を備えたシャワー浴槽９と、を備えた入浴装置であり、前記シャワー浴槽９は、前記乗部７を載置するレール（載置手段）１１ａ，１１ｂを有すると共に、前記搬送車１との間で前記乗部７を移動させることが可能になっている。【選択図】図９
2019037536.tif 000002
【特許請求の範囲】
【請求項１】
被介助者を乗せる乗部を載置して搬送する搬送車と、
前面と両側面とに開口部を有し、かつ、複数の噴射ノズルを備えたシャワー浴槽と、
を備え、
前記シャワー浴槽は、前記乗部を載置する載置手段を有すると共に、前記搬送車との間で前記乗部を移動させることが可能になっている、ことを特徴とする入浴装置。
【請求項２】
被介助者を乗せて搬送する搬送車と、
前面と両側面とに開口部を有し、かつ複数の噴射ノズルを備えたシャワー浴槽と、
を備え、
前記シャワー浴槽は、前記搬送車に乗った前記被介助者を当該搬送車から移乗させるための乗部を有する、ことを特徴とする入浴装置。
【請求項３】
前記載置手段が平行一対のレールである、請求項１に記載の入浴装置。
【請求項４】
前記シャワー浴槽が、固定台部と、前記固定台部の後方側に立設された側部と、前記側部に連成され前記固定台部と上下方向で対向する天井部とを備えて、前記前面と前記両側面とに開口部を有した形状となり、かつ、前記天井部は、前記固定台部に湯水を噴射する噴射ノズルを複数備えている、請求項１から３までのいずれか１項に記載の入浴装置。
【請求項５】
前記複数の噴射ノズルは、前記両側面を横切る方向に並置され、かつ、湯水噴射中心軸が、前記固定台部の上面の前記並置方向の中心に向く方向に傾けられている、請求項４に記載の入浴装置。
【請求項６】
前記天井部は、前記並置方向において上方に湾曲している、請求項４または５に記載の入浴装置。
【請求項７】
前記噴射ノズルは、前記天井面に設けた窪みに配置され、その周囲が前記窪みで包囲されている、請求項４から６までのいずれか１項に記載の入浴装置。
【請求項８】
前記シャワー浴槽は、前記開口部を覆うカーテンを有し、前記カーテンには、介助者の作業用スリットが鉛直方向に形成されている、請求項４から７までのいずれか１項に記載の入浴装置。
【請求項９】
前記シャワー浴槽は、前記開口部を覆うカーテンを有し、前記カーテンは、前記シャワー浴槽の内部が透視可能である、請求項４から７までのいずれか１項に記載の入浴装置。
【請求項１０】
前記乗部は、起立・倒伏可能なサイドフェンスが設けられている、請求項１から９までのいずれか１項に記載の入浴装置。
【請求項１１】
前記シャワー浴槽に前記搬送車を横付けして連結した状態で、前記搬送車と前記シャワー浴槽との間で前記乗部を前記載置手段を介して移動させる際、当該乗部の脱落を防止する乗部脱落防止機構を備えている、請求項１若しくは請求項３に記載の、または、請求項２を引用しない請求項４から１０までのいずれか１項に記載の入浴装置。
【請求項１２】
前記搬送車には、その長手方向の略中央部に介助者出入用のスペースが、前記搬送車の短手方向に横断するように設けられている、請求項１若しくは請求項３に記載の、または、請求項２を引用しない請求項４から１１までのいずれか１項に記載の入浴装置。
【発明の詳細な説明】
【技術分野】
【０００１】
本発明は、被介助者を搬送車で搬送してシャワー浴槽に入浴させる入浴装置に関する。
【背景技術】
【０００２】
従来の入浴装置には図１１に示すものがある。図１１は、特許文献１の図２に図示された入浴装置を示す。この入浴装置においては、開閉蓋を備えた浴槽を備える。この浴槽の内部に、搬送車から乗部を移乗でき且つ乗部を昇降できるリフト機構と、このリフト機構に載置された乗部にシャワーを掛けるシャワー機構とを設けており、シャワーを浴びるシャワー浴と、湯中に浸かる湯中浴との両方を行うことができるようになっている。
【先行技術文献】
【特許文献】
【０００３】
【特許文献１】特開平０６−１８１９６４号公報
【発明の概要】
【発明が解決しようとする課題】
【０００４】
しかしながら、この入浴装置では、浴槽上方の約半分が固定カバーで覆われ、浴槽の中央上方に位置する固定カバーの端縁部に開閉蓋がヒンジで装着されて、固定カバーと、閉じ状態の開閉蓋とで浴槽の上方のほぼ全体が覆われるようになっている。
【０００５】
このため、乗部を搬送車から浴槽内に移乗するためには開閉蓋を開ける必要があり、固定カバーがあるため、開閉蓋側からしか浴槽内の入浴者を介助することができなかった。
【０００６】
本発明は、このような課題を解決するためになされたものであり、被介助者を搬送車で搬送しシャワー浴槽に入浴させる場合において、その介助作業を容易に行うことができる入浴装置を提供することを目的とする。
【課題を解決するための手段】
【０００７】
本発明は、上記目的を達成するために、以下の手段を提供する。
【０００８】
（１）本発明に係る入浴装置は、被介助者を乗せる乗部を載置して搬送する搬送車と、前面と両側面とに開口部を有し、かつ、複数の噴射ノズルを備えたシャワー浴槽と、を備え、前記シャワー浴槽は、前記乗部を載置する載置手段を有すると共に、前記搬送車との間で前記乗部を移動させることが可能になっている、ことを特徴とする。
【０００９】
（２）本発明に係る入浴装置は、被介助者を乗せて搬送する搬送車と、前面と両側面とに開口部を有し、かつ、複数の噴射ノズルを備えたシャワー浴槽と、を備え、前記シャワー浴槽は、前記搬送車に乗った前記被介助者を当該搬送車から移乗させるための乗部を有する、ことを特徴とする。
【００１０】
上記（１）、（２）の本発明によれば、シャワー浴槽は前面と両側面とが開口している。そのため、介助者等がシャワー浴槽内に上半身を入れて被介助者の洗身やシャワー浴槽の清掃作業を行うことが容易になり、その作業性を向上できる。
【００１１】
（３）本発明の好ましい実施態様では、前記載置手段が、一対のレールである。
【００１２】
この実施態様では、前記乗部のスライド移動が容易である。
【００１３】
（４）本発明の好ましい実施態様では、前記シャワー浴槽が、固定台部と、前記固定台部の後方側に立設された側部と、前記側部に連成され前記固定台部と上下方向で対向する天井部とを備えて、前記前面と前記両側面とに開口部を有した形状となり、かつ、前記天井部は、前記固定台部に湯水を噴射する噴射ノズルを複数備えている。
【００１４】
この実施態様では、シャワー浴槽の構成がコンパクトとなり、また、被介助者に対するシャワー浴の作業が容易となる。
【００１５】
（５）本発明の好ましい実施態様では、前記複数の噴射ノズルは、前記両側面を横切る方向に並置され、かつ、湯水噴射中心軸が、前記固定台部の上面の前記並置方向の中心に向く方向に傾けられている。
【００１６】
この実施態様では、被介助者に当たらず無駄に噴射される湯水量を減らすことができ、被介助者に効率よくシャワーをあてることができる。
【００１７】
（６）本発明の好ましい実施態様では、前記天井部は、前記並置方向において上方に湾曲している。
【００１８】
この実施態様によれば、シャワー浴中に上面に付いた水滴が上面に沿って左右両側に流れて下に落ちるようになるため、上面から落下する水滴が被介助者に当たることが抑制され、被介助者に不快感を与えないようにすることができる。
【００１９】
（７）本発明の好ましい実施態様では、前記噴射ノズルは、前記天井面に設けた窪みに配置され、その周囲が前記窪みで包囲されている。
【００２０】
この実施態様によれば、介助者等がシャワー浴槽の上面を清掃する際に、噴射ノズルを気にすることなく作業を行うことができ、また、噴射ノズルに当たり怪我をする可能性を低減でき、作業性と安全性を向上できる。
【００２１】
（８）本発明の好ましい実施態様では、前記シャワー浴槽は、前記開口部を覆うカーテンを有し、前記カーテンには、介助者の作業用スリットが鉛直方向に形成されている。
【００２２】
この実施態様によれば、介助者がカーテンの外側からシャワー浴中の被介助者に対して介助作業を行う際、カーテンのスリットが鉛直方向に形成されているため、介助者がスリットに差し込んだ腕を鉛直方向に動かすことが容易であり、介助作業の作業性を向上できる。
【００２３】
（９）本発明の好ましい実施態様では、前記シャワー浴槽は、前記開口部を覆うカーテンを有し、前記カーテンは、前記シャワー浴槽の内部が透視可能である。
【００２４】
この実施態様によれば、介助者はカーテンを開けなくてもカーテンを介してシャワー浴槽内の被介助者の状態を確認することができる。
【００２５】
（１０）本発明の好ましい実施態様では、前記乗部は、起立・倒伏可能なサイドフェンスが設けられている。
【００２６】
この実施態様によれば、サイドフェンスを倒伏することで、シャワー浴槽内での被介助者の洗身作業等が行い易くなる。また、シャワー浴槽に設けられた乗部のサイドフェンスを起立状態にすれば、シャワー浴槽の底面の清掃が容易となる。
【００２７】
（１１）本発明の好ましい実施態様では、前記シャワー浴槽に前記搬送車を横付けして連結した状態で、前記搬送車と前記シャワー浴槽との間で前記乗部を前記載置手段を介して移動させる際、当該乗部の脱落を防止する乗部脱落防止機構を備えている。
【００２８】
この実施態様によれば、乗部の脱落を防止する乗部脱落防止機構を備えているので、搬送車とシャワー浴槽との間で乗部を脱落しないようにして移動させることが可能となる。そのため、安全性が向上し、介助者は安心して被介助者の介助作業を行うことができる。
【００２９】
（１２）本発明の好ましい実施態様では、前記搬送車には、その長手方向の略中央部に介助者出入用のスペースが、前記搬送車の短手方向に横断するように設けられている。
【００３０】
この実施態様によれば、搬送車からシャワー浴槽へ乗部を移動させる際、介助者は搬送車の前記スペースに入ることができるため、乗部の移動を容易に行うことができる。
【発明の効果】
【００３１】
本発明によれば、シャワー浴槽は前面と両側面が開口しているため、介助者等がシャワー浴槽内に上半身を入れて被介助者の洗身やシャワー浴槽の清掃作業を行うことが容易になり、その作業性を向上できる。
【図面の簡単な説明】
【００３２】
【図１】実施形態１に係る搬送車の斜視図。
【図２】搬送車とシャワー浴槽の連結部分の内部構造を示す拡大斜視図。
【図３】乗部脱落防止機構を示す搬送車の一部の拡大斜視図。
【図４】乗部を載置した搬送車の斜視図。
【図５】シャワー浴槽の斜視図。
【図６】乗部脱落防止機構を示すシャワー浴槽の一部の拡大斜視図。
【図７ａ】シャワー浴槽の天井下面の部分平面図。
【図７ｂ】図７ａの天井の一部拡大斜視断面図。
【図７ｃ】図７ｂの一部拡大斜視断面図。
【図８】カーテンを設けたシャワー浴槽の斜視図。
【図９】搬送車とシャワー浴槽とからなる入浴装置の斜視図。
【図１０】実施形態２に係る乗部を備えたシャワー浴槽の斜視図。
【図１１】従来の入浴装置の正面図。
【発明を実施するための形態】
【００３３】
以下、添付した図面を参照して、本発明の実施形態１に係る入浴装置Ａを説明する。この入浴装置Ａは、搬送車１と、シャワー浴槽９とから構成されている。
【００３４】
図１〜図４を参照して、搬送車１を説明する。図１は、搬送車の斜視図、図２はワイヤー操作機構を示す搬送車の一部の内部構造を示す拡大斜視図、図３は乗部脱落防止機構を示す搬送車の一部の拡大斜視図、図４は乗部を載置した搬送車の斜視図である。
【００３５】
まず、図１を参照して、搬送車１は、台車部２と、フレーム部３ａ，３ｂと、上面部４ａ，４ｂと、を備える。フレーム部３ａ，３ｂは、台車部２の長手方向一方と他方に設けられ、上面部４ａ，４ｂを支持するとともに協働して該上面部４ａ，４ｂを平行に昇降するリンク機構を構成する。
【００３６】
台車部２は、複数の車輪２ａと、操作ペダル２ｂと、連結部２ｃと、解除ペダル２ｄと、を備える。連結部２ｃは、後述のシャワー浴槽９との連結のための部材であり、図１に示すように、下方にフック形状をなして台車部２の側面から突出している。
【００３７】
図２に示すように、連結部２ｃは、台車部２の内部に設けた軸２ｅに取り付けられ、該軸２ｅに巻装されたバネ部材２ｆで時計回り方向（図中の矢印ａ方向）に付勢されている。
【００３８】
台車部２は、その側面が凹形状の係合部２ｇになっている。この係合部２ｇは、搬送車１がシャワー浴槽９に横付けされるとき、後述するシャワー浴槽９に突設された被係合部９ａ２に係合してその横付け位置が位置決めされるようになっている。
【００３９】
なお、操作ペダル２ｂは、搬送車１を動かないようにするためのブレーキペダルである。解除ペダル２ｄは、連結部２ｃとワイヤーでつながっており、連結部２ｃを上方に回動させるもので、搬送車１とシャワー浴槽９との連結を解除するときに操作されるペダルである。
【００４０】
図１に戻って、台車部２は、フレーム部３ａ，３ｂ間に介助者出入用のスペースＳ１を有する。このスペースＳ１は搬送車１を短手方向（幅方向）に横断するように設けられている。介助者は、このスペースＳ１に入り込んで被介助者の介助作業を行うことができる。
【００４１】
上面部４ａ，４ｂは、それぞれ、フレーム部３ａ，３ｂ上に設けられている。上面部４ａ，４ｂそれぞれには、レール（載置手段）５ａ，５ｂが搬送車の短手方向（幅方向）に互いに平行に設けられている。また、上面部４ａ，４ｂには、同じ構成の乗部脱落防止機構６ａ，６ｂが設けられている。なお、乗部脱落防止機構６ａ，６ｂはどちらか一方だけ設けていてもよい。
【００４２】
図３を参照して、一方の乗部脱落防止機構６ａを説明する。乗部脱落防止機構６ａは、レール５ａの側部に沿って当該レール５ａ長さ方向２箇所に設けられている。乗部脱落防止機構６ａは、一対の対向する板状部材６ａ１，６ａ２間に回転軸６ａ３が回転可能にピン部材で抜け止めされている。回転軸６ａ３には、Ｌ字形状の脱落防止部材６ａ４が一体に設けられている。
【００４３】
脱落防止部材６ａ４は、搬送車１がシャワー浴槽９に連結されていないときは図示略のバネ部材で時計回り方向（図中の矢印ｂ方向）に付勢されて水平状態となり、また、搬送車１がシャワー浴槽９に連結されていると、その連結動作に連動する連動部材（例えばワイヤー）６ａ５によりバネ部材の付勢に抗して反時計回り方向（図中の矢印ｃ方向）に回動させられて垂直状態となる。
【００４４】
被介助者を乗せるための乗部７が搬送車１に載置されている状態では、乗部７の下端に下向きに突出した状態で取り付けられている移動規制金具が２つの脱落防止部材６ａ４間に配置されており、乗部７は脱落防止部材６ａ４によって移動が防止される。搬送車１がシャワー浴槽９と連結すると、シャワー浴槽９が位置する側にある一方の脱落防止部材６ａ４が回動して水平状態となって、乗部７はシャワー浴槽９の方向に移動することが可能になり、逆の方向へは垂直状態にある他方の脱落防止部材６ａ４により移動できない。
【００４５】
図４を参照して、搬送車１の上面部４ａ，４ｂの一対のレール５ａ，５ｂ上には、被介助者を乗せる乗部７が載置されている。乗部７は、載置部７ａと、サイドフェンス７ｂと、枕部７ｃと、手摺７ｄ等、を含む。サイドフェンス７ｂは、載置部７ａの前部側に幅方向一対、後部側に幅方向一対で対向して設けられ、起立・倒伏可能になっている。手摺７ｄは、介助者が乗部７を移動させるときなどに掴む手摺である。
【００４６】
図５〜図８を参照してシャワー浴槽９を説明する。なお、図５に示すように、空間における方向として、シャワー浴槽９の長手方向を前後とし、シャワー浴槽９の短手方向（幅方向）を左右とし、鉛直方向を上下とする。
【００４７】
シャワー浴槽９は、図５に示すように、水平方向長手の固定台部９ａと、固定台部９ａの後部において垂直に立設された側部９ｂと、側部９ｂに連成され固定台部９ａの上面９ｄと垂直方向で対向する天井部９ｃとで、側面視片仮名の「コ」の字形状となり、前面及び左右両側面が開放されて前面及び左右両側面に開口部を有した形状となる。シャワー浴槽９は、被介助者の洗髪、洗身等のためのハンドシャワー１０を備えている。
【００４８】
固定台部９ａは、その上面９ｄが側部９ｂ方向に漸次低く傾斜し、かつ、左右両側縁の周囲が外壁９ｅで囲まれ、湯水が浴槽側方に漏れず上面９ｄの後方にある排水口９ｆから排出されるようになっている。
【００４９】
固定台部９ａには、平行に延びる一対のレール１１ａ，１１ｂ（載置手段）が固定されている。このレール１１ａ，１１ｂの対向間隔及び高さは、搬送車１のレール５ａ，５ｂの対向間隔及び高さとそれぞれ同じである。レール１１ａ，１１ｂは、搬送車１がシャワー浴槽９に横付けされ、搬送車１のレール５ａ，５ｂ上に載置されている乗部７をシャワー浴槽９側にスライド移動させるためのものである。
【００５０】
固定台部９ａの側面９ａ１には、搬送車１の係合部２ｇの凹形状に対応した凸形状の被係合部９ａ２が突設されている。
【００５１】
搬送車１は、シャワー浴槽９に横付けされるときに搬送車１の係合部２ｇがシャワー浴槽９の被係合部９ａ２に係合してシャワー浴槽９に横付け位置が位置決めされる。このシャワー浴槽９の被係合部９ａ２の上面には、搬送車１の一対の連結部２ｃが係入可能な一対の係入孔９ａ３が形成されている。
【００５２】
搬送車１がシャワー浴槽９に横付けされ、台車部２の係合部２ｇにシャワー浴槽９の被係合部９ａ２が係合してシャワー浴槽９に位置決めされるとき、搬送車１側の連結部２ｃはシャワー浴槽９側の被係合部９ａ２の係入孔９ａ３に係入されて搬送車１とシャワー浴槽９とが連結される。
【００５３】
かかるシャワー浴槽９は、一対のレール１１ａ，１１ｂのうち、少なくとも一方のレール１１ｂの両端に図６で示す乗部脱落防止機構１６ａを備えている。
【００５４】
両端それぞれの乗部脱落防止機構１６ａは同様の構成を有する。
【００５５】
図６を参照して、一方の乗部脱落防止機構１６ａを説明すると、レール１１ｂの一端側（搬送車１側）に一対の板状の取付部材１６ｂが対向して固定され、これら一対の取付部材１６ｂ間に回転軸１６ｃが回転可能に挿通されている。この回転軸１６ｃは、ピン部材１６ｄ（一方のみ図示）で両端が取付部材１６ｂに抜け止めされている。回転軸１６ｃは、時計回り方向（矢印ｄ方向）に図示略のバネ部材で付勢されている。この回転軸１６ｃに、脱落防止部材１６ｅが取り付けられている。
【００５６】
脱落防止部材１６ｅには筒状部１６ｆを介してワイヤー１６ｇの一端側が接続されている。ワイヤー１６ｇの他端側はシャワー浴槽９内を介して被係合部９ａ２内のワイヤー操作機構（後述）に接続されている。搬送車１の連結部２ｃが被係合部９ａ２の係入孔９ａ３に係入されると、搬送車１とシャワー浴槽９とが連結状態になるが、このとき、ワイヤー１６ｇは、前記ワイヤー操作機構によりその他端側が引っ張られる構成になっている。
【００５７】
ワイヤー１６ｇの他端側が引っ張られると、脱落防止部材１６ｅは回転軸１６ｃ周りを反時計回り方向（矢印ｅ方向）に回動して水平状態となる。ワイヤー１６ｇは搬送車１とシャワー浴槽９との連結状態が解除されると緩む。ワイヤー１６ｇが緩むと、脱落防止部材１６ｅは前記バネ部材の付勢力で図６に示す垂直状態となる。
【００５８】
このようにして搬送車１がシャワー浴槽９に連結されると、脱落防止部材１６ｅは、図６で示す垂直状態から水平状態に回動する。脱落防止部材１６ｅが水平状態になると、搬送車１上の乗部６は、脱落防止部材１６ｅにスライド移動を阻止されることなく、搬送車１のレール５ａ，５ｂ上からシャワー浴槽９のレール１１ａ，１１ｂ上にスライド移動することができる。
【００５９】
ここで、前記ワイヤー操作機構によってワイヤー１６ｇの他端側が引っ張られる構成について、図２を用いて説明する。シャワー浴槽９の浴槽側フレーム２２に回動軸２３が回動可能に取り付けられ、回動軸２３にはレバー部２４および曲折部２５が一体的に取り付けられている。また、回動体２６が浴槽側フレーム２２に支軸２７で回動可能に取り付けられている。連結部２ｃが係入孔９ａ３に係入して搬送車１とシャワー浴槽９とが連結状態になると、連結部２ｃによってレバー部２４が下方に押され、その結果、曲折部２５が上方に移動して回動体２６の一端２６ａが上方に押される。これにより、回動体２６は時計回りに回動して、回動体２６の他端２６ｂに接続されたワイヤー１６ｇが矢印ｇ方向に引っ張られる。
【００６０】
上述したように、連結部２ｃが係入孔９ａ３に係入されて搬送車１がシャワー浴槽９に連結されることで、ワイヤー１６ｇが前記ワイヤー操作機構により引っ張られて脱落防止部材１６ｅが矢印ｅ方向に回動して水平状態となると、乗部７はレール５ａ，５ｂとレール１１ａ，１１ｂとの間を移動できるようになる。
【００６１】
搬送車１とシャワー浴槽９とが連結されている間は、乗部７が移動可能であり、連結が解除されるとワイヤー１６ｇが緩み、バネ部材の付勢力により脱落防止部材１６ｅが矢印ｄ方向に回動して垂直状態となって乗部７の移動が防止される。
【００６２】
図５において、シャワー浴槽９の左側に搬送車１が連結されれば、レール１１ｂの左端に設けられた脱落防止部材１６ｅは回動して水平状態になり、レール１１ｂの右端に設けられた脱落防止部材１６ｅは回動しないため、乗部７が搬送車１とシャワー浴槽９との間でスライド移動が可能になるとともに、乗部７がシャワー浴槽９の右側へ脱落することが防止される。シャワー浴槽９の右側にも被係合部９ａ２が設けられており、シャワー浴槽９の右側に搬送車１が連結されれば、レール１１ｂの右端に設けられた脱落防止部材１６ｅは回動して水平状態になり、レール１１ｂの左端に設けられた脱落防止部材１６ｅは回動しないため、乗部７が搬送車１とシャワー浴槽９との間でスライド移動が可能になるとともに、乗部７がシャワー浴槽９の左側へ脱落することが防止される。
【００６３】
なお、乗部７がシャワー浴槽９のレール１１ａ，１１ｂに載った状態で搬送車１の連結が解除されると、乗部脱落防止機構１６ａ，１６ｂにより乗部７の移動・脱落が防止される。すなわち、搬送車１とシャワー浴槽９との間で乗部６を受け渡す場合、乗部脱落防止機構１６ａの脱落防止部材１６ｅは水平状態に制御され、搬送車１がシャワー浴槽９の左側に連結されていないとき、例えば、乗部７をレール１１ａ，１１ｂ上に移動させた後に、シャワー浴槽９に対する搬送車１の連結を解除したときは、脱落防止部材１６ｅは垂直状態に制御されレール１１ａ，１１ｂからの乗部７の脱落が防止されるようになっている。
【００６４】
上記構成のシャワー浴槽９は、その天井部９ｃに、図７ａに示すように、複数の噴射ノズル１３が左右両側において同数にて整列並置されている。これら噴射ノズル１３は、天井部９ｃに、それらの対向方向の中心位置からほぼ等距離離れて配置され、かつ、それらの湯水の噴射方向が固定台部９ａの上面９ｄの中心に向かう方向に傾けられて設置されている。
【００６５】
天井部９ｃは、図７ｂに示すように、上ケース９ｃ１と下ケース９ｃ２とで囲まれ、内部に噴射ノズル１３の配管１３ａ等が収納されていると共に、噴射ノズル１３は下ケース９ｃ２に設けられている。
【００６６】
下ケース９ｃ２は、噴射ノズル１０から噴射された湯水が飛散し天井部９ｃ下面に付着した水滴を側方に流して被介助者に当たり難くするため、上方に湾曲した形状に形成されている。
【００６７】
下ケース９ｃ２には、図７ｃに示すように、噴射ノズル１３の設置用の窪み９ｇが設けられている。噴射ノズル１３は、窪み９ｇの底壁に配置され、窪み９ｇの内周壁で包囲されている。噴射ノズル１３は、窪み９ｇの内周壁で包囲されていることで、噴射ノズル１３から噴射される湯水が不要な方向に飛び散らず、被介助者に湯水を効率的にかけることができるようになっている。
【００６８】
シャワー浴槽９には、図８に示すように、その左右両側方及び前方を覆うカーテン１４が取り付けられ、このカーテン１４には、スリット１５が鉛直方向に適宜箇所に適数形成されている。介助者は、スリット１５を介して手や腕をシャワー浴槽９内に差し入れて、シャワー浴槽９内の被介助者の入浴の介助をすることができる。
【００６９】
なお、カーテン１４は、シャワー浴槽９の内部が透視可能な半透明材、例えばポリ塩化ビニルで形成され、介助者は外部から被介助者の状態を正確に把握して入浴の介助を効率的にすることができる。
【００７０】
以上、実施形態１の入浴装置Ａによれば、搬送車１が図９に示すように、シャワー浴槽９に横付けされると、搬送車１はシャワー浴槽９に連結機構で連結される。そして、搬送車１上の乗部７をシャワー浴槽９にスライド移動させ、乗部７に乗った被介助者にシャワー浴をさせることができる。被介助者にシャワー浴をさせるとき、搬送車１とシャワー浴槽９とが連結したままの状態でもよく、搬送車１とシャワー浴槽９との連結を解除して搬送車１をシャワー浴槽９から離した状態でもよい。
【００７１】
なお、担架脱落防止機構１６ａは上述の実施形態に限定されることなく、例えば、担架脱落防止機構６ａ，６ｂと同様の構成のものを採用してもよい。
【００７２】
図１０に、実施形態２の入浴装置Ｂにおけるシャワー浴槽９Ｂを示している。図１０において、図４及び図５と対応する部分には同一の符号を付している。実施形態２の入浴装置Ｂは、搬送車とシャワー浴槽９Ｂとによって構成される。シャワー浴槽９Ｂは、被介助者が乗ることができる乗部１９を備える。搬送車は被介助者を乗せて搬送するものであればどのようなものでもよい。乗部１９は、載置部２０と、載置部２０の両側縁に起立・倒伏可能なサイドフェンス２１とを備える。
【００７３】
また、シャワー浴槽９Ｂは、固定台部９ａと、固定台部９ａの後方側に立設された側部９ｂと、側部９ｂに連成され固定台部９ａと上下方向で対向する天井部９ｃとを備えて、前面と両側面とに開口部を有した形状となり、かつ、複数の噴射ノズルを備える。さらに、シャワー浴槽９Ｂの乗部１９は固定台部９ａに組み付けられている。
【００７４】
入浴装置Ｂでは、被介助者を乗せた搬送車をシャワー浴槽９Ｂの傍に停止させ、人手によって被介助者を搬送車からシャワー浴槽９Ｂの乗部１９に移乗させて、被介助者をシャワー浴させるものである。
【００７５】
この入浴装置Ｂにおいても、シャワー浴槽９Ｂは前面と両側面が開口しているため、介助者等がシャワー浴槽９Ｂ内に上半身を入れて被介助者の洗身やシャワー浴槽９Ｂの清掃作業を行うことが容易になり、その作業性を向上できる。
【００７６】
以上説明したように、上述の実施形態によれば、シャワー浴槽９，９Ｂは前面と両側面が開口しているため、介助者等がシャワー浴槽９，９Ｂ内に上半身を入れて被介助者の洗身やシャワー浴槽９，９Ｂの清掃作業を行うことが容易になり、その作業性を向上できる。
【００７７】
本発明は、上述した実施形態に限定されるものではなく、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【００７８】
Ａ  入浴装置
Ｂ  入浴装置
１  搬送車
２  台車部
２ｃ  連結部
２ｇ  係合部
Ｓ１  スペース
３ａ，３ｂ  フレーム部
４ａ，４ｂ  上面部
５ａ，５ｂ  レール（載置手段）
７  乗部
７ｂ  サイドフェンス
９，９Ｂ  シャワー浴槽
９ａ  固定台部
９ａ２  被係合部
９ａ３  係入孔
９ｂ  側部
９ｃ  天井部
９ｄ  上面
９ｇ  窪み
１０  ハンドシャワー
１１ａ，１１ｂ  レール（載置手段）
１３  噴射ノズル
１４  カーテン
１５  スリット
１６ａ  乗部脱落防止機構
１６ｅ  脱落防止部材
１６ｇ  ワイヤー
１９  乗部
２０  載置部
２１  サイドフェンス
【図１】
2019037536.tif 000003
【図２】
2019037536.tif 000004
【図３】
2019037536.tif 000005
【図４】
2019037536.tif 000006
【図５】
2019037536.tif 000007
【図６】
2019037536.tif 000008
【図７ａ】
2019037536.tif 000009
【図７ｂ】
2019037536.tif 000010
【図７ｃ】
2019037536.tif 000011
【図８】
2019037536.tif 000012
【図９】
2019037536.tif 000013
【図１０】
2019037536.tif 000014
【図１１】
2019037536.tif 000015